(57)【要約】【課題】刺繍、または、トレースを開始する際の刺繍枠の位置の設定を容易に行えるようにする。【解決手段】刺繍柄Ｄの柄データは、刺繍柄Ｄの複数箇所に設定された所定点Ｐ１〜Ｐ９のデータと、各所定点Ｐ１〜Ｐ９からスタート点Ｓまでのそれぞれの距離データとを含む。刺繍、または、トレースを開始する前に、液晶ディスプレイ９に表示した所定点選択画面にて所定点Ｐ１〜Ｐ９のうちのいずれか１つを選択し、且つ、枠移動指令用スイッチ１０を用いて選択された所定点に対応する位置に刺繍枠５を位置させる。刺繍、または、トレースを開始する時に、選択された所定点からスタート点Ｓまでの距離データに基づいて、選択された所定点に対応する位置にある刺繍枠５を刺繍柄のスタート点Ｓに対応する位置へ移動させた後に、該刺繍柄のスタート点Ｓを起点とする刺繍、または、トレースを開始する。【選択図】図６
2012196271.tif 000002
【特許請求の範囲】
【請求項１】
任意の刺繍柄の柄データに従って被刺繍物を展張保持した刺繍枠を移動制御して前記刺繍柄の刺繍を行う機能、及び、前記刺繍柄の外形に沿って前記刺繍枠を移動させるトレースを行う機能の少なくとも何れかを備える刺繍ミシンにおいて、
前記柄データを記憶する記憶手段であって、該柄データが、前記刺繍柄の所定の１箇所に設定されたスタート点のデータと、該刺繍柄の所定の複数箇所に設定された複数の所定点のデータと、それぞれ対応する所定点から前記スタート点までの距離データとを含むものである記憶手段と、
刺繍、または、トレースを開始する前に、前記刺繍柄に設定された複数の前記所定点のうちのいずれか１つの所定点を選択する選択手段と、
刺繍、または、トレースを開始する前に、前記選択手段により選択された所定点に対応する位置に前記刺繍枠を位置させる刺繍枠位置設定手段と、
刺繍、または、トレースを開始する時に、前記記憶手段に記憶された柄データから、前記選択手段にて選択された所定点からスタート点までの前記距離データを抽出し、抽出された距離データに基づいて、選択された所定点に対応する位置にある前記刺繍枠を刺繍柄のスタート点に対応する位置へ移動させた後に、該刺繍柄のスタート点を起点とする刺繍、または、トレースを開始する制御手段
を備えることを特徴とする刺繍ミシン。
【請求項２】
前記複数の所定点を設定する箇所が、少なくとも刺繍柄に外接する四角形の頂点と刺繍柄の中心を含むことを特徴とする請求項１に記載の刺繍ミシン。
【請求項３】
トレースを行う場合、前記制御手段が、さらに、当該トレースの終了後に前記刺繍枠を前記刺繍柄のスタート点へと移動する制御を行うことを特徴とする請求項１または２に記載のミシン。
【発明の詳細な説明】
【技術分野】
【０００１】
本発明は、被刺繍物を展張保持した刺繍枠を刺繍柄に対応する柄データに従って移動制御して所望の刺繍を行う刺繍ミシンに関し、詳しくは、刺繍、または、トレースを開始する際に、刺繍枠の位置を設定するための技術に関する。
【背景技術】
【０００２】
刺繍ミシンは、被刺繍物を展張保持した刺繍枠を、任意の刺繍柄に対応する柄データに従って移動制御して所望の刺繍を行う。図７は刺繍柄Ｄの一例である。刺繍柄Ｄは刺繍柄の柄データに基づいて規定されるもので、刺繍柄のスタート点Ｓは、その刺繍柄Ｄの刺繍を開始すべき位置として当該刺繍柄Ｄ上に規定された位置である。
刺繍ミシンは、周知の操作パネルを備えており、操作パネルの表示部には、刺繍柄の柄データに基づく刺繍柄Ｄの画像がそのスタート点Ｓと一緒に表示され、且つ、刺繍枠の位置がＸ／Ｙ座標にて表示されるようになっている。刺繍柄の柄データは、図７に示すような、スタート点Ｓから刺繍柄Ｄの上下左右の極値（図７において一点鎖線で示す）までの距離データ（＋Ｘ，−Ｘ，＋Ｙ，−Ｙ）を有しており、この距離データも操作パネルの表示部にて確認できる。
従来の刺繍ミシンでは、上記のスタート点Ｓから上下左右の極値までの距離データ（＋Ｘ，−Ｘ，＋Ｙ，−Ｙ）と、刺繍枠の位置を示すＸ／Ｙ座標の各情報に基づいて、刺繍可能範囲に対して刺繍柄Ｄを任意の位置に配置したときの刺繍柄のスタート点Ｓに縫針が位置するように刺繍枠を移動することで、刺繍柄Ｄの刺繍を開始する際の刺繍枠の位置を設定している。
【０００３】
例えば、図８を参照して、刺繍柄Ｄを刺繍可能範囲２０（図８において２点鎖線で示す範囲）の中央に刺繍する場合の刺繍枠の移動について説明する。この場合、操作パネルに刺繍柄Ｄのスタート点Ｓから上下左右の極値までの距離データ（＋Ｘ，−Ｘ，＋Ｙ，−Ｙ）を表示して、スタート点Ｓから刺繍柄Ｄの中心ＣまでのＸ／Ｙ座標の距離を求め、求めたＸ／Ｙ座標の距離を、縫針が刺繍可能範囲２０の中央に位置するときの刺繍枠のＸ／Ｙ座標に加算することにより、縫針が図８に示すスタート点Ｓに位置するときの刺繍枠の位置を示すＸ／Ｙ座標を求める。このようにして求めた刺繍枠のＸ／Ｙ座標に刺繍枠を移動することで、図８に示すスタート点Ｓに縫針が位置するよう、刺繍枠の位置を設定できる。
【０００４】
また、別の例として、図９を参照して、刺繍柄Ｄを刺繍可能範囲２０（図９において２点鎖線で示す範囲）の左下隅に刺繍する場合の刺繍枠の移動について説明する。この場合、刺繍柄Ｄのスタート点Ｓから左及び下の極値までの距離データ（−Ｘ，−Ｙ）と，刺繍に必要な距離として刺繍柄Ｄの左及び下の極値と刺繍可能範囲２０の間に確保すべき所定の安全距離αを、縫針が刺繍可能範囲２０の左下隅に位置するときの刺繍枠のＸ／Ｙ座標に加算することにより、縫針が図９に示すスタート点Ｓに位置するときの刺繍枠の位置を示すＸ／Ｙ座標を求める。このようにして求めた刺繍枠のＸ／Ｙ座標へ刺繍枠を移動することで、図９に示すスタート点Ｓに縫針が位置するよう、刺繍枠の位置を設定できる。
【０００５】
刺繍柄Ｄの刺繍を開始する際の刺繍枠の位置を設定する別の方法として、作業者がものさし等を使って測定する方法があった。前記図９の刺繍柄Ｄを左下隅に刺繍する場合を例に説明すると、スタート点Ｓから左及び下の極値までの距離データ（−Ｘ，−Ｙ）と安全距離αを加算することにより、刺繍可能範囲２０の左下隅に配置された刺繍柄Ｄのスタート点Ｓに該当する縫針の位置を特定するための距離を求め、そして、作業者が例えばものさしを使って、刺繍枠の左辺および下辺のそれぞれから、前記求めた距離を測定することで、刺繍可能範囲２０の左下隅に配置された刺繍柄Ｄのスタート点Ｓに該当する縫針の位置を特定し、特定された位置に縫針が位置するよう刺繍枠を移動する。これにより、図９に示すスタート点Ｓに縫針が位置するよう、刺繍枠の位置を設定できる。
【０００６】
また、従来の刺繍ミシンには、刺繍を開始する前に、刺繍柄の外形に沿って刺繍枠を移動させることで、刺繍柄が問題なく刺繍可能範囲に納まるかを作業者に目視により確認させる、トレース機能があった。このトレース機能を使う場合には、前述した刺繍を開始する場合と同様に、刺繍柄のスタート点Ｓに縫針が位置するときの刺繍枠の位置を示すＸ／Ｙ座標を計算し、或いは、刺繍柄のスタート点に該当する縫針の位置を作業者がものさしで測定して、その計算結果あるいは測定結果に基づいて刺繍枠の位置設定をした後に、トレースを開始している。そして、トレースによって刺繍柄が刺繍可能範囲に納まるかを作業者が目視にて確認した後に、問題がなければ、当該刺繍柄の刺繍を開始している。
【０００７】
このように、従来の刺繍ミシンでは、刺繍柄のスタート点に縫針が位置するときの刺繍枠の位置を示すＸ／Ｙ座標を計算して、或いは、刺繍柄のスタート点に該当する縫針の位置を作業者がものさし等で測定して、その計算結果あるいは測定結果に基づいて刺繍枠を移動することで、刺繍、または、トレースを開始する際の刺繍枠の位置を設定している。そして、該刺繍枠の位置を設定した後に、刺繍、または、トレースを開始している。
【発明の概要】
【発明が解決しようとする課題】
【０００８】
従来の刺繍ミシンでは、刺繍を行うとき、又は、トレースを行うときのいずれの場合にせよ、刺繍、又は、トレースを開始する時に、刺繍枠を所望の位置（刺繍可能範囲２０の或る位置に配置された刺繍柄Ｄのスタート点Ｓに縫針が位置するような刺繍枠の位置）に移動させるために、刺繍、または、トレースを開始する際の刺繍枠の位置を計算したり、或いは、作業者がものさし等で測定したりする必要があり、刺繍開始時の刺繍枠の位置の設定（刺繍枠の移動）に非常に手間がかかっていた。
【０００９】
本発明は、上記の点に鑑みてなされたもので、刺繍、または、トレースを開始する際の刺繍枠の位置の設定（刺繍枠の移動）を、手間をかけず容易に行えるようにした刺繍ミシンを提供することを目的とする。
【課題を解決するための手段】
【００１０】
この発明は、任意の刺繍柄の柄データに従って被刺繍物を展張保持した刺繍枠を移動制御して前記刺繍柄の刺繍を行う機能、及び、前記刺繍柄の外形に沿って前記刺繍枠を移動させるトレースを行う機能の少なくとも何れかを備える刺繍ミシンにおいて、前記柄データを記憶する記憶手段であって、該柄データが、前記刺繍柄の所定の１箇所に設定されたスタート点のデータと、該刺繍柄の所定の複数箇所に設定された複数の所定点のデータと、それぞれ対応する所定点から前記スタート点までの距離データとを含むものである記憶手段と、刺繍、または、トレースを開始する前に、前記刺繍柄に設定された複数の前記所定点のうちのいずれか１つの所定点を選択する選択手段と、刺繍、または、トレースを開始する前に、前記選択手段により選択された所定点に対応する位置に前記刺繍枠を位置させる刺繍枠位置設定手段と、刺繍、または、トレースを開始する時に、前記記憶手段に記憶された柄データから、前記選択手段にて選択された所定点からスタート点までの前記距離データを抽出し、抽出された距離データに基づいて、選択された所定点に対応する位置にある前記刺繍枠を刺繍柄のスタート点に対応する位置へ移動させた後に、該刺繍柄のスタート点を起点とする刺繍、または、トレースを開始する制御手段を備えることを特徴とする。
【００１１】
上記この発明に係る刺繍ミシンによれば、刺繍、または、トレースを開始する前に、選択手段により、刺繍枠を位置させる位置を、刺繍柄の所定の複数箇所に設定された複数の所定点から１つ選択し、且つ、刺繍枠位置設定手段により、前記選択された所定点に対応する位置に刺繍枠を位置させた後に、刺繍、または、トレースを開始する時に、該選択した所定点からスタート点までの距離データに基づいて、刺繍枠を選択された所定点に対応する位置からスタート点に対応する位置へ移動させた後に、刺繍、または、トレースを開始する。
選択手段による所定点の選択と、刺繍枠位置設定手段による刺繍枠の位置設定を行う順番は任意である。すなわち、選択手段による所定点の選択を行った後に刺繍枠位置設定手段による刺繍枠の位置設定を行ってもよいし、あるいは、刺繍枠位置設定手段による刺繍枠の位置設定を行った後に、選択手段による所定点の選択を行ってもよい。
【００１２】
この発明に係る刺繍ミシンの一実施形態として、前記複数の所定点を設定する箇所が、少なくとも刺繍柄に外接する四角形の頂点と刺繍柄の中心を含むよう構成することができる。
また、この発明に係る刺繍ミシンの一実施形態として、トレースを行う場合、前記制御手段が、さらに、当該トレースの終了後に前記刺繍枠を前記刺繍柄のスタート点へと移動する制御を行うよう構成することができる。
【発明の効果】
【００１３】
この発明によれば、刺繍、または、トレースを開始する前に、刺繍柄の所定の複数箇所に設定された複数の所定点から刺繍枠の移動が容易に行える１つの所定点を選択し、且つ、該選択した所定点に対応する位置に刺繍枠を位置させるだけで、刺繍開始時に、刺繍柄のスタート点に対応する位置に刺繍枠を移動することができるため、刺繍、または、トレースを開始する際に、Ｘ／Ｙ座標を計算したり、ものさしで測ったりして刺繍枠をスタート点に移動させることが不要となり、刺繍、または、トレースを開始する時の刺繍枠の移動を容易に行えるという優れた効果を奏する。
一例として、前記複数の所定点を設定する箇所が、少なくとも刺繍柄に外接する四角形の頂点と刺繍柄の中心を含むよう構成できる。この構成を採用することで、例えば、前述した図８に示すように刺繍柄を刺繍可能範囲の中央に刺繍する場合には、刺繍、または、トレースを開始する前に、刺繍柄の中央に設定された所定点を選択し、且つ、刺繍枠を刺繍可能範囲の中央（刺繍柄の中央に設定された所定点に対応する位置）に位置させるだけで、刺繍、または、トレースの開始時に、刺繍柄のスタート点に対応する位置に刺繍枠が移動される。また、図９に示すように刺繍柄を刺繍可能範囲の左下隅に刺繍する場合には、刺繍柄に外接する四角形の左下の頂点に設定された所定点を選択し、且つ、刺繍枠を刺繍可能範囲の左下隅から刺繍に必要な安全距離を設けた位置（刺繍柄の左下に設定された所定点に対応する位置）に刺繍枠を移動すればよい。
また、トレースを行う場合、前記制御手段が、さらに、当該トレースの終了後に前記刺繍枠を前記刺繍柄のスタート点へと移動する制御を行う構成を採用することにより、トレース後に刺繍を行う際には、刺繍枠の移動なしに直ぐに刺繍が開始される。
【図面の簡単な説明】
【００１４】
【図１】本発明の一実施例に係る多頭刺繍ミシンを正面右上側から見た外観斜視図。
【図２】図１に示す操作パネルボックスの正面図。
【図３】多頭刺繍ミシンのコントローラの電気的ハードウェア構成の主要部を抽出して示すブロック図。
【図４】刺繍柄の一例を示す図。
【図５】図２の液晶ディスプレイに表示された所定点選択画面を示す図。
【図６】刺繍柄を刺繍可能範囲の左下隅に配置した状態を示す図。
【図７】従来技術を説明する図であって、刺繍柄の一例を示す図。
【図８】従来技術を説明する図であって、図７に示す刺繍柄を刺繍可能範囲の中央に配置した状態を示す図。
【図９】従来技術を説明する図であって、図７に示す刺繍柄を刺繍可能範囲の左下隅に配置した状態を示す図。
【発明を実施するための形態】
【００１５】
以下に、この発明の一実施形態である多頭刺繍ミシンについて、添付図面を参照して説明する。
【００１６】
図１は多頭刺繍ミシンを正面右上から見た斜視図である。図１において、符号１はミシンフレーム、符号２はテーブルである。ミシンフレーム１には、複数（６個）のミシンヘッド３が配設してあるとともに、複数（６個）の釜土台４が各ミシンヘッド３の直下位置にテーブル２と略同一高さで配設してある。テーブル２上には刺繍枠５が載置してあり、刺繍枠５はテーブルの下方に設けたＸ駆動機構６及びＹ駆動機構７によって前後左右方向（Ｘ方向及びＹ方向）に駆動されるようになっている。そして、周知のように、ミシンヘッド３で上下往復駆動される縫針と、釜土台４で回転される釜との協働により、刺繍枠５に展張保持された生地（被刺繍物）に刺繍が行われる。
【００１７】
ミシンフレーム１の右端部には刺繍ミシンの各種設定を行う周知の操作パネルボックス８が設けてある。図２は操作パネルボックス８の正面図である。操作パネルボックス８の前面には、タッチスイッチシート付きの液晶ディスプレイ９と、その右下に位置する上下左右４方向の枠移動指令用スイッチ１０と、これの右隣に位置する速度切替えスイッチ１１とがある。
液晶ディスプレイ９の画面上には、刺繍柄の画像を表示する領域と各種指示の入力を行うスイッチアイコン等が配置されており、刺繍柄の画像を表示する領域には、刺繍すべき刺繍柄として選択された刺繍柄Ｄの画像が表示されるとともに、刺繍枠５の位置がＸ／Ｙ座標にて表示される（不図示）。
枠移動指令用スイッチ１０は、その操作によって刺繍枠５を移動制御するためのスイッチであり、速度切替えスイッチ１１は刺繍枠５の移動速度を「高速」、「低速」と交互に切り替えるためのスイッチである。
【００１８】
図３は多頭刺繍ミシンのコントローラの電気的ハードウェア構成の主要部を模式的に表したブロック図である。多頭刺繍ミシンのコントローラは、ＣＰＵ１２、ＲＯＭ１３、ＲＡＭ１４、バス１５、及び、入出力インターフェース１６を備えており、ＣＰＵ１２、ＲＯＭ１３、ＲＡＭ１４、及び入出力インターフェース１６がバス１５を介して接続されている。
【００１９】
周知のようにＣＰＵ１２はＲＯＭ１３に格納されているプログラムに従ってコントローラ全体を制御する。ＲＡＭ１４は、刺繍柄の柄データを含む、刺繍加工に必要な各種のデータが格納される。柄データは、対応する刺繍柄を規定するデータであり、詳しくは後述する。入出力インターフェース１６にはミシン主軸駆動機構１７、Ｘ駆動機構６、Ｙ駆動機構７及び操作パネルボックス８等が接続されており、ミシン主軸駆動機構１７、Ｘ駆動機構６、Ｙ駆動機構７及び操作パネルボックス８は入出力インターフェース１６を介してＣＰＵ１２との間で各種データを通信できる。ミシン主軸駆動機構１７は、ミシンヘッド３の針を上下駆動するとともに、釜土台４の釜を回転駆動するものである。
【００２０】
操作パネルボックス８の枠移動指令用スイッチ１０が操作されると、その操作に応じた信号が操作パネルボックス８から入出力インターフェース１６を通じてＣＰＵ１２にデータとして入力され、且つ、ＣＰＵ１２は、該枠移動指令用スイッチ１０の操作に応じた制御信号を、入出力インターフェース１６を通じてＸ駆動機構６及びＹ駆動機構７に出力する。Ｘ駆動機構６及びＹ駆動機構７は、入出力インターフェース１６を通じて与えられた制御信号に基づいて刺繍枠５を駆動して、枠移動指令用スイッチ１０の操作に対応する方向へ、刺繍枠５を移動する。作業者は、この枠移動指令用スイッチ１０を用いた前後左右各方向のスイッチ操作により、刺繍、または、トレースを開始する前の刺繍枠５を任意の位置に移動させることができる。
刺繍ミシンを起動すると、つまり刺繍を開始すると、ＣＰＵ１２の制御に基づいてミシン主軸駆動機構１７が駆動され、これによりミシンヘッド３の縫針を上下駆動するとともに、釜土台４の釜を回転駆動する。これと同期して、刺繍枠５をＸ駆動機構６及びＹ駆動機構７によって駆動することで、刺繍加工が行われる。
【００２１】
刺繍加工の内容（刺繍柄）は、作業者が選択した柄データに基づいて規定されるもので、ＣＰＵ１２は、選択された柄データをＲＡＭ１４から読み出して、読み出した柄データに従ってＸ駆動機構６及びＹ駆動機構７を駆動して、刺繍枠５の移動を制御することで、該柄データに対応する刺繍柄の刺繍を実現する。周知の通り、作業者は、生地（被刺繍物）の刺繍可能範囲において、刺繍柄を縫い付ける位置を任意に設定できる。したがって、刺繍柄の刺繍を開始する際には、刺繍可能範囲に対する刺繍柄の配置位置に応じて、刺繍枠５の位置を設定する必要がある。
【００２２】
次に刺繍を開始する際の刺繍枠５の位置設定について説明する。
図２に示す操作パネルボックス８は、これから刺繍を行う刺繍柄の柄データが作業者によって選択され、選択された刺繍柄の柄データに基づく刺繍柄Ｄの画像を液晶ディスプレイ９の画面上に表示した状態である。図４は、刺繍柄Ｄの柄データを説明する図である。柄データは、ＲＡＭ１４に１又は複数個記憶されており、それぞれ、対応する刺繍柄Ｄを規定する情報（形状、大きさ、色等を含む）と、刺繍柄Ｄのスタート点Ｓの情報と、当該刺繍柄Ｄの所定の複数箇所に設定された複数の所定点Ｐ１〜Ｐ９の情報と、複数の所定点Ｐ１〜Ｐ９のそれぞれに対応する複数の距離データとを有する。スタート点Ｓは、刺繍を開始すべき位置として当該刺繍柄Ｄ上に規定された位置である。複数の距離データは、それぞれ、対応する所定点からスタート点Ｓまでの距離データである。
【００２３】
複数の所定点Ｐ１〜Ｐ９は、それぞれ、刺繍柄Ｄの複数の主要箇所に予め設定されるもので、例えば、少なくとも刺繍柄Ｄに外接する四角形の各頂点と刺繍柄の中心とを含む５箇所に設定することが考えられる。図４の例では、一点鎖線で示す刺繍柄Ｄに外接する四角形の各頂点（Ｐ１、Ｐ３，Ｐ７及びＰ９）と、その四角形の四辺（刺繍柄Ｄの上下左右の極値）各辺の中点（Ｐ２、Ｐ４、Ｐ６及びＰ８）と、刺繍柄Ｄの中心（Ｐ５）との９箇所に、所定点Ｐ１〜Ｐ９が設定されている。
【００２４】
図５は、液晶ディスプレイ９に所定点選択画面を表示した状態を示す。所定点選択画面は、作業者が刺繍柄Ｄに設定された複数の所定点Ｐ１〜Ｐ９から所望の１つを選択するための画面である。これから刺繍を行う１つの刺繍柄Ｄが新たに選択されたとき、ＣＰＵ１２は、図５に示す所定点選択画面を液晶ディスプレイ９に表示する。所定点選択画面を液晶ディスプレイ９に立ち上げる処理は、刺繍を行う１つの刺繍柄Ｄが新たに選択されたときに、自動的に、その選択された刺繍柄に対応する所定点選択画面を表示するよう構成してもよいし、或いは、刺繍を行う１つの刺繍柄Ｄが新たに選択されたときに、液晶ディスプレイ９に所定点選択画面の表示を指示するための専用ボタンを表示して、作業者がその専用ボタンを押したときに、当該新たに選択された刺繍柄に対応する所定点選択画面が表示されるよう構成してもよい。
【００２５】
図５に示す通り、所定点選択画面には、刺繍柄Ｄに設定された各所定点Ｐ１〜Ｐ９に対応する各位置に、それぞれ、所定点Ｐ１〜Ｐ９に対応する選択ボタンＢ１〜Ｂ９が表示される。この９つの選択ボタンＢ１〜Ｂ９は、それぞれ、対応する所定点Ｐ１〜Ｐ９の選択を指示するボタンになっている。作業者は、９つの選択ボタンＢ１〜Ｂ９中から任意の１つを押すことで、押した選択ボタンに対応する所定点を選択できる。選択された１つの選択ボタンは、非選択状態の他の選択ボタンとは表示態様（例えば表示色等）を変えて表示され、選択されていることが視覚的に分かるようになっている。図５では、左下の選択ボタンＢ７を選択した状態が例示されており、選択状態の選択ボタンＢ７の表示態様は、非選択状態の他の選択ボタンＢ１〜６、８及び９とは異なる。
【００２６】
刺繍を開始する前に刺繍枠５の位置を設定するための構成の要点は、刺繍柄Ｄに設定された複数の所定点Ｐ１〜Ｐ９のうちのいずれか１つの所定点を選択すること（図５の所定点選択画面における１つの選択ボタンＢ１〜Ｂ９の選択）と、選択された所定点に対応する位置に刺繍枠５を位置させること（操作パネルボックス８の枠移動指令用スイッチ１０を用いた刺繍枠５の移動）にある。
選択された所定点に対応する位置に刺繍枠５を位置させることは、詳しくは、所定点に対応する位置に縫針が位置するように刺繍枠５を位置させることである。複数の所定点Ｐ１〜Ｐ９のうちのいずれの所定点を選択するかは、刺繍可能範囲２０に対する刺繍柄Ｄの配置位置に応じて決めるとよい。つまり、刺繍柄Ｄの刺繍を開始するときに、刺繍枠５を位置させることを最も容易に行いうる、適切な所定点を選択するとよい。
【００２７】
刺繍を開始する前の刺繍枠５の位置設定の一例として、刺繍柄Ｄを刺繍可能範囲２０の左下隅に配置して刺繍を行う場合の刺繍枠５の位置設定について、図５及び図６を参照して具体的に説明する。刺繍可能範囲２０の左下隅に刺繍柄Ｄを配置する場合には、刺繍柄Ｄの左下隅に設定された所定点Ｐ７（図５参照）に対応する位置が、刺繍枠５を最も容易に移動させることができる位置である。したがって、先ず、作業者は、図５に示す所定点選択画面において、刺繍柄Ｄに設定された所定点Ｐ７に対応する選択ボタンＢ７を押す。次に、作業者は、所定点Ｐ７に対応する位置に刺繍枠５を位置させる作業を行う。具体的には、枠移動指令用スイッチ１０を用いて、図６に示すように刺繍可能範囲２０（２点鎖線）の左下隅から刺繍に必要な安全距離αを設けた（×印）位置に縫針が位置するように、刺繍枠５を移動させる。これにより、刺繍開始前の刺繍枠５の位置を、所定点Ｐ７に対応する位置に設定できる。安全距離αは刺繍に必要な距離として刺繍柄と刺繍可能範囲２０の間に確保すべき所定の距離である。この刺繍枠５の移動は、刺繍可能範囲２０の左下隅から所定の安全距離だけ離れた×印位置に刺繍枠５を移動するだけであるため、刺繍柄Ｄのスタート点Ｓや刺繍柄Ｄの極値に基づくＸ／Ｙ座標の計算などの手間はかからない。
【００２８】
なお、所定点の選択と刺繍枠５の位置設定とはどちらを先に行ってもよい。すなわち、作業者は、操作パネルボックス８の枠移動指令用スイッチ１０を用いて任意の位置（刺繍柄Ｄに設定された複数の所定点Ｐ１〜Ｐ９のうちのいずれかに対応する位置）に刺繍枠５を位置させてから、移動された刺繍枠５の位置に対応する所定点Ｐ１〜Ｐ９を選択する（該当する選択ボタンＢ１〜Ｂ９を押す）ことも可能である。
【００２９】
上述した刺繍枠５の位置設定を行った後に、ミシンの運転を開始、すなわち刺繍動作を開始する。ミシンの運転を開始すると、ＣＰＵ１２は、刺繍の開始時に選択された所定点Ｐ７から刺繍柄Ｄのスタート点Ｓまでの距離データを、ＲＡＭ１４に記憶された当該柄データから抽出し、抽出された距離データに基づいて、刺繍枠５を現在位置（×印で示す所定点Ｐ７に対応する位置）から刺繍柄Ｄのスタート点Ｓに対応する位置へ移動させる。刺繍の開始時の刺繍枠５の位置設定により刺繍枠５が所定点Ｐ７に対応する位置にあるため、柄データに含まれる所定点Ｐ７から刺繍柄Ｄのスタート点Ｓまでの距離データに基づいて刺繍枠５を移動するだけで、刺繍枠５を所定点Ｐ７に対応する位置からスタート点Ｓに対応する位置（詳しくはスタート点Ｓに縫針が位置するような位置）に移動させることができる。そして、ＣＰＵ１２は、刺繍枠５をスタート点Ｓの位置に移動した後に、スタート点Ｓを起点とする刺繍柄Ｄの刺繍を開始する。
【００３０】
上述した刺繍枠の位置設定は、刺繍柄Ｄのトレースを行う際にも適用できる。刺繍ミシンにおけるトレース機能は、周知の通り、刺繍柄Ｄの刺繍を開始する前に刺繍柄Ｄの外形に沿って刺繍枠５を移動させることで、刺繍柄Ｄが問題なく刺繍可能範囲に納まるかを作業者に目視により確認させる機能である。トレースを開始する前にも、刺繍を行う場合と同様に、刺繍可能範囲に対する刺繍柄の配置位置に応じて、刺繍枠５を位置設定する必要がある。そこで、トレースを開始する前に、上記刺繍開始前と同様に、作業者は、刺繍柄Ｄに設定された複数の所定点Ｐ１〜Ｐ９の１つの所定点を選択し、選択された所定点に対応する位置に刺繍枠５を位置させる。そして、ミシンの運転を開始すると、選択された所定点からスタート点Ｓまでの距離データに基づいて、刺繍枠５を選択された所定点の位置からスタート点Ｓの位置へ移動させた後に、トレース（刺繍柄Ｄの外形に沿った刺繍枠５の移動）を開始する。
トレースを行う場合には、さらに、トレース終了時に刺繍枠５がスタート点Ｓに位置するように、刺繍枠５の移動を制御するとよい。このように構成した場合、トレース終了後に刺繍を開始するにあたり、改めて刺繍枠５をスタート点Ｓに移動することなしに、直ぐに、その刺繍を開始できる。
【００３１】
以上説明したとおり、本実施例によれば、刺繍、または、トレースを開始する前に、刺繍柄Ｄの複数の所定点Ｐ１〜Ｐ９から１つの所定点を選択し、且つ、選択された所定点に対応する位置に刺繍枠５を位置させるだけで、刺繍、または、トレースを開始する時に、刺繍枠５を刺繍柄Ｄのスタート点Ｓに対応する位置に移動した後に、刺繍、または、トレースを開始するため、刺繍、または、トレースを開始する際に、Ｘ／Ｙ座標を計算したり、或いは、ものさし等で測ったりして刺繍枠５をスタート点Ｓに移動させる必要がなくなり、刺繍、または、トレースを開始する時の刺繍枠５の移動（刺繍枠５の位置設定）を容易に行えるようになるという優れた効果を奏する。
【００３２】
なお、例えば、刺繍すべき刺繍柄Ｄのスタート点Ｓが刺繍柄Ｄの中心に設定されており、且つ、その刺繍柄Ｄを刺繍可能範囲の中央に刺繍する場合（つまり刺繍柄Ｄのスタート点Ｓと刺繍可能範囲の中央が一致する場合）など、刺繍柄Ｄのスタート点Ｓの位置と、刺繍可能範囲における刺繍柄Ｄの配置位置の条件によっては、刺繍柄Ｄのスタート点Ｓに縫針が位置するように刺繍枠５を位置させるのが容易なときもある。そのような場合には、所定点の選択を行うことなしに、枠移動指令用スイッチ１０を用いて刺繍枠５を、スタート点Ｓに対応する位置に位置させた後に、刺繍、または、トレースを開始すればよい。
【００３３】
なお、上記図４の例では、刺繍柄Ｄに外接する四角形の各頂点と、その四角形の四辺（刺繍柄Ｄの上下左右の極値）各辺の中点と、刺繍柄Ｄの中心（Ｐ５）との９箇所に所定点Ｐ１〜Ｐ９が設定される例を示したが、刺繍柄Ｄに設定される複数の所定点は、上記実施例に限らず、適宜にその数及び設定箇所を変更してよい。
また、上記図５の例では、所定点選択画面内の刺繍柄画像の上に、所定点Ｐ１〜Ｐ９に対応する選択ボタンＢ１〜Ｂ９を表示した形態としたが、所定点を選択する選択手段の実施形態は、図５の所定点選択画面に限らず、複数の所定点から１つの所定点を選択できさえすれば、どのような形態であってもよい。
【符号の説明】
【００３４】
１  ミシンフレーム、２  テーブル、３  ミシンヘッド、４  釜土台、５  刺繍枠、６  Ｘ駆動機構、７  Ｙ駆動機構、８  操作パネルボックス、９  液晶ディスプレイ、１０  枠移動指令用スイッチ、１１  速度切替えスイッチ、１２  ＣＰＵ、１３  ＲＯＭ、１４  ＲＡＭ、１５  バス、１６  入出力インターフェース、１７  ミシン主軸駆動機構、２０  刺繍可能範囲、Ｄ  刺繍柄（柄データ）、Ｐ１〜Ｐ９  所定点、Ｂ１〜Ｂ９  選択ボタン、Ｓ  スタート点、α  安全距離
【図１】
2012196271.tif 000003
【図２】
2012196271.tif 000004
【図３】
2012196271.tif 000005
【図４】
2012196271.tif 000006
【図５】
2012196271.tif 000007
【図６】
2012196271.tif 000008
【図７】
2012196271.tif 000009
【図８】
2012196271.tif 000010
【図９】
2012196271.tif 000011